(57)【要約】【課題】携帯端末の小型化を図り、ＳＩＭカードの誤挿入を確実に防止することができる携帯端末の提供。【解決手段】突起部を有する電池と、筐体に設けられた電池収容部と、切り欠き部を有するカードと、前記カードを挿入するカードコネクタと、を少なくとも備え、前記カードコネクタは、前記電池収容部近傍に配置され、当該電池収容部側にカード挿入口を有する携帯端末において、前記カードコネクタに前記カードが正しく挿入され、前記電池収容部に前記電池が収容された状態で、前記カードの前記切り欠き部と前記電池の前記突起部とが対向するように構成され、前記カードコネクタに正しく挿入された前記カードの切り欠き領域に、前記筐体に対して可動する部材が配置され、前記電池の前記突起部が前記部材を押圧し、前記部材が前記筐体側に可動することにより、前記電池が前記電池収容部に収容可能となる。【選択図】図８
2010233154.tif 000002
【特許請求の範囲】
【請求項１】
突起部を有する電池と、筐体に設けられた電池収容部と、切り欠き部を有するカードと、前記カードを挿入するカードコネクタと、を少なくとも備え、前記カードコネクタは、前記電池収容部近傍に配置され、当該電池収容部側にカード挿入口を有する携帯端末において、
前記カードコネクタに前記カードが正しく挿入され、前記電池収容部に前記電池が収容された状態で、前記カードの前記切り欠き部と前記電池の前記突起部とが対向するように構成され、
前記カードコネクタに正しく挿入された前記カードの切り欠き領域に、前記筐体に対して可動する部材が配置され、
前記電池の前記突起部が前記部材を押圧し、前記部材が前記筐体側に可動することにより、前記電池が前記電池収容部に収容可能となることを特徴とする携帯端末。
【請求項２】
前記カードコネクタに前記カードが正しく挿入されていない状態では、前記カードが前記部材を覆い、前記電池の前記突起部が前記部材を押圧できなくなることを特徴とする請求項１に記載の携帯端末。
【請求項３】
前記部材は、一端が前記筐体に固定された弾性体によって、前記切り欠き領域側に押圧されていることを特徴とする請求項１又は２に記載の携帯端末。
【請求項４】
前記カードはＳＩＭカードであることを特徴とする請求項１乃至３のいずれか一に記載の携帯端末。
【発明の詳細な説明】
【技術分野】
【０００１】
本発明は、携帯端末に関し、特に、携帯端末におけるカードの誤挿入を防止する構造に関する。
【背景技術】
【０００２】
近年の携帯電話機やＰＨＳ（Personal Handyphone System）などの携帯端末は、携帯電話会社が発行する、契約者情報を記録したＩＣカード（ＳＩＭ（Subscriber Identity Module card）カード）が装填されており、携帯端末の機種変更等に際して、ＳＩＭカードを差し替えることにより自己の携帯端末として使用できるようになっている。
【０００３】
コネクタ（以下、カードコネクタと呼ぶ。）にＳＩＭカードを挿入する方法として、トレーを使用してカードコネクタにＳＩＭカードを挿入する方法と、カードコネクタに直接ＳＩＭカードを挿入する方法とがあり、いずれかの方法を用いてカードコネクタにＳＩＭカードが挿入される。
【０００４】
このＳＩＭカードは、カードコネクタに確実に挿入されていないと携帯端末を使用することができないことから、カードの挿入構造に関して様々な提案がなさなれており、例えば、下記特許文献１には、カード装着部にカードを挿入後に該カードの後端部を保持するカードロックを、カード装着部のカード後端部にスライド可能に設けたカード保持装置が開示されている。
【先行技術文献】
【特許文献】
【０００５】
【特許文献１】特開２００３−３０４３１３号公報
【発明の概要】
【発明が解決しようとする課題】
【０００６】
上記ＳＩＭカードの挿入について、図１乃至図６を参照して説明する。図１は従来の携帯端末のカード挿入部の構造を示す上面図及び断面図、図２は従来のカードコネクタの具体例（トレータイプ及び直挿しタイプ）を示す斜視図、図３及び図４は従来の携帯端末におけるカードの切り欠き部と電池の突起部の位置関係を示す上面図、図５はカード誤挿入時のＳＩＭカードの状態を示す断面図、図６は携帯端末に電池を組み込む際の電池の動きを示す図である。
【０００７】
携帯端末におけるカード挿入部の構造として、図２（ａ）に示すようにトレーを使用してＳＩＭカードを挿入するタイプと、図２（ｂ）に示すように直接ＳＩＭカードを入れるタイプとがある。この内、カードを直接挿入するタイプは、カードコネクタが小さくなり、携帯端末の小型化に寄与することから主流となっている。図１は、このタイプのカード挿入部の構造例を示している。
【０００８】
このようなカードコネクタに直接ＳＩＭカードを挿入するタイプでは、ＳＩＭカードの向きが間違っていてもカードコネクタにＳＩＭカードが挿入できてしまう。そこで、従来は、図３に示すように、電池３に、ＳＩＭカード２の切り欠き部に向かって突出する突起部９を設け、ＳＩＭカード２の適正な向きを判別できるようにして、ＳＩＭカードの誤挿入防止対策としていた。
【０００９】
しかしながら、図６に示すように、電池３の一方の端部を本体のストッパに押し当てた後、他方の端部を押し込むことによって電池３を装填する場合に、上記構造では、図４及び図５に示すように、カード誤挿入時にＳＩＭカード２と電池３の突起部９とが接触し、ＳＩＭカード２が曲がった状態で電池３が組み込まれてしまい、ＳＩＭカード２の誤挿入を認識できないという問題があった。
【００１０】
また、携帯端末では、一般に、携帯端末の電池保護用筐体４と電池３を外してから、ＳＩＭカード２をカードコネクタ１に挿入する構成となっているため、ユーザがＳＩＭカード２をカードコネクタ１に誤挿入した場合、電池保護用筐体４及び電池３を再度、携帯端末から外し、ＳＩＭカード２を入れ直さなければならず、手間が発生してしまい、ユーザにストレスがかかっていた。
【００１１】
本発明は、上記問題点に鑑みてなされたものであって、その主たる目的は、携帯端末の小型化を図り、ＳＩＭカードなどのカードの誤挿入を確実に防止することができる携帯端末を提供することにある。
【課題を解決するための手段】
【００１２】
上記目的を達成するため、本発明は、突起部を有する電池と、筐体に設けられた電池収容部と、切り欠き部を有するカードと、前記カードを挿入するカードコネクタと、を少なくとも備え、前記カードコネクタは、前記電池収容部近傍に配置され、当該電池収容部側にカード挿入口を有する携帯端末において、前記カードコネクタに前記カードが正しく挿入され、前記電池収容部に前記電池が収容された状態で、前記カードの前記切り欠き部と前記電池の前記突起部とが対向するように構成され、前記カードコネクタに正しく挿入された前記カードの切り欠き領域に、前記筐体に対して可動する部材が配置され、前記電池の前記突起部が前記部材を押圧し、前記部材が前記筐体側に可動することにより、前記電池が前記電池収容部に収容可能となるものである。
【発明の効果】
【００１３】
本発明の携帯端末によれば、下記記載の効果を奏する。
【００１４】
本発明の第１の効果は、ＳＩＭカードなどのカードをカードコネクタに直接挿入する構造において、カードの誤挿入を確実に防止することができるということである。その理由は、カードの切り欠き部に対応する位置に可動パーツを配置することにより、ユーザがカードを誤挿入した場合には携帯端末に電池を組み込むことができなくなるため、直ぐにカードの誤挿入と認識することができるからである。
【００１５】
また、本発明の第２の効果は、携帯端末の小型化を実現することができるということである。その理由は、上記可動パーツを配置することによってカードの誤挿入を防止することができるため、携帯端末にＳＩＭカードなどのカードをカードコネクタに直接挿入する構造を適用することができるからである。
【図面の簡単な説明】
【００１６】
【図１】従来の携帯端末のカード挿入部の構造を示す図であり、（ａ）は上面図、（ｂ）はＡ−Ａ断面図である。
【図２】従来のカードコネクタの具体例（トレータイプ及び直挿しタイプ）を示す斜視図である。
【図３】従来の携帯端末におけるカードの切り欠き部と電池の突起部の位置関係を示す上面図である。
【図４】従来の携帯端末におけるカード誤挿入時のカードの切り欠き部と電池の突起部の位置関係を示す上面図である。
【図５】従来の携帯端末におけるカード誤挿入時のＳＩＭカードの状態を示す断面図である。
【図６】携帯端末に電池を組み込む際の電池の動きを示す図である。
【図７】本発明の一実施例に係るカード挿入部の構造を示す斜視図である。
【図８】本発明の一実施例に係るカード挿入部の構造を示す図であり、（ａ）は上面図、（ｂ）はＣ−Ｃ断面図、（ｃ）は部分拡大図である。
【発明を実施するための形態】
【００１７】
背景技術で示したように、携帯電話機などの携帯端末ではユーザを認識するためのＳＩＭカードを挿入して使用しているが、ＳＩＭカードをカードコネクタに直接挿入するタイプではＳＩＭカードが間違った向きで挿入可能である。そして、ＳＩＭカードが間違った向きで挿入された場合、携帯端末の電源を入れて初めて携帯端末の機能が使えないことが分かるため、電池保護用筐体４及び電池３を外し、再度、カードを挿し直した後、電池保護用筐体４及び電池３を取り付けるといった煩雑な作業が必要であった。
【００１８】
この問題は、直挿しタイプではＳＩＭカードが間違った向きで挿入できることに起因していることから、本願発明では、携帯端末の電源を入れる前にＳＩＭカードが誤挿入されていることを認識できるようにする。
【００１９】
具体的には、ＳＩＭカードには向きを認識する切り欠き部があることから、その切り欠き部を利用し、切り欠き部に対応する位置に可動パーツを設置し、ＳＩＭカードを誤挿入した場合には電池が組み込めなくなるようにする。
【００２０】
これにより、電池の組み込み時にＳＩＭカードを誤挿入したことが分かるため、携帯端末の電源を切ってから再度ＳＩＭカードを挿し直す手間を省くことができ、ユーザの利便性を向上させることができる。
【実施例】
【００２１】
上記した本発明の実施の形態についてさらに詳細に説明すべく、本発明の一実施例に係る携帯端末について、図７及び図８を参照して説明する。図７及び図８は、本実施例の携帯端末のカード挿入部の構造を示す図であり、図７は斜視図、図８（ａ）は上面図、図８（ｂ）はＣ−Ｃ断面図、図８（ｃ）は部分拡大図である。
【００２２】
本実施例の携帯端末は、契約者情報を記録したＳＩＭカードなどのカード（記録媒体）を直挿しするカードコネクタを備えた携帯電話機である。この携帯電話機では、初期段階でＳＩＭカードを一旦挿入したら機種変更等以外ではＳＩＭカードを取り外す必要がないことから、通常、図７に示すように、カードコネクタ１を電池３の近傍に配置し、電池３を組み込む前にＳＩＭカード２をカードコネクタ１に挿入するように構造になっている。
【００２３】
ここで、ＳＩＭカード２をカードコネクタ１に正しく挿入すれば、ＳＩＭカード２の切り欠き部８と電池３の突起部９とが抵触することはないが、ＳＩＭカード２がカードコネクタ１に十分に挿入されていないと切り欠き部８と突起部９とが抵触する。
【００２４】
その際、従来の構造では、切り欠き部８と突起部９とが抵触した状態でも電池３を組み込むことができるため、携帯端末の電源を入れてからＳＩＭカード２の誤挿入に気付き、再度、ＳＩＭカード２を挿し直す手間が生じる。また、切り欠き部８と突起部９とが抵触した状態で電池３を組み込むとＳＩＭカード２が湾曲した状態になってしまい、ＳＩＭカード２が破損してしまうという問題も生じる。
【００２５】
そこで、本実施例では、図８に示すように、ＳＩＭカード２をカードコネクタ１に正しく挿入した状態において、ＳＩＭカード２の切り欠き部８によってできる領域に、携帯端末本体（筐体６）に対して可動する可動パーツ１３を設置する。
【００２６】
この可動パーツ１３は、携帯端末の筐体６に一端が固定されたバネ１４などの弾性体に連結され、力を加えると筐体６側（図８（ｃ）の右側）に押し込めるようになっており、力を加えない状態では、ＳＩＭカード２の切り欠き部８によってできる領域（図８（ｃ）の左側）に迫り出すようになっている。
【００２７】
このような構造の可動パーツ１３を配置することにより、カードコネクタ１にＳＩＭカード２が正しく挿入されている場合は、電池３の組み込み時に、電池３の突起部９が可動パーツ１３を基板７及び筐体６に設けたガイドに沿って押し下げ（図８（ｃ）の右方向に移動させ）、電池３を筐体６側に押し込むことができるため、電池３を携帯端末に組み込むことができる。
【００２８】
一方、カードコネクタ１にＳＩＭカード２が正しく挿入されていない場合は、可動パーツ１３を覆うようにＳＩＭカード２が迫り出し、電池３の突起部９が可動パーツ１３を押し込むことができなくなる。その結果、可動パーツ１３とＳＩＭカード２の切り欠き部８との間のスペースに電池３の突起部９を差し込むことができなくなるため、電池３を携帯端末に組み込むことができない。
【００２９】
従って、携帯端末に電池３を組み込む際にＳＩＭカード２が正しく挿入されているか否かを判断することができるため、携帯端末の電源を切ってから再度ＳＩＭカード２を挿し直す手間を省くことができ、ユーザの利便性を向上させることができる。また、ＳＩＭカード２を誤挿入した状態で電池３を組み込むことがなくなるため、ＳＩＭカード２の破損も防止することができる。
【００３０】
なお、図８では、可動パーツ１３の代表的な形状を記載しているが、同様の効果が得られる限りにおいて、その形状や材質、構造に特に限定されない。例えば、図８では、可動パーツ１３にバネ１４が入り込む窪みを２つ設けたが、窪みを１つ又は３つ以上設けてもよい。
【００３１】
また、上記実施例では、携帯端末にＳＩＭカードをカードコネクタに挿入する場合を例にして説明したが、本発明は上記実施例に限定されるものではなく、任意の種類のカードをカードコネクタに直挿しする場合に対して同様に適用することができる。
【産業上の利用可能性】
【００３２】
本発明は、カードを直挿しするカードコネクタを有する任意の装置、例えば、携帯電話機などの携帯端末に利用可能である。
【符号の説明】
【００３３】
１  カードコネクタ
２  ＳＩＭカード
３  電池
４  電池保護用筐体
５  筐体
６  筐体
７  基板
８  切り欠き部
９  突起部
１０  誤挿入時のＳＩＭカード
１１  電池初期位置
１２  電池途中位置
１３  可動パーツ
１４  バネ
【図１】
2010233154.tif 000003
【図２】
2010233154.tif 000004
【図３】
2010233154.tif 000005
【図４】
2010233154.tif 000006
【図５】
2010233154.tif 000007
【図６】
2010233154.tif 000008
【図７】
2010233154.tif 000009
【図８】
2010233154.tif 000010